(57)【特許請求の範囲】
【請求項１】
照明灯と、前記照明灯が出力する光を反射する反射板と、前記反射板に取り付けられる照度センサーと、前記照度センサーで測定される測定値と設定記憶されている設定値とを対比し、前記測定値が前記設定値以下になった場合に前記照明灯の照度異常を検出する照度異常検出回路と、前記照度異常の検出に応じて前記照明灯の照度異常を告知する告知手段と、前記告知手段として前記照明灯の照度異常信号を外部に送信する信号送信部とを有し、トンネル内に設置される照明灯の劣化判定装置と、
トンネルの外部に設置され、所定位置のトンネル内の照明灯の照度異常信号の受信に応じて、前記照度異常信号の照度異常の程度を前記照度異常信号に含まれる程度情報と設定記憶されている設定程度情報とを対比して判定し、前記照度異常の程度が設定程度情報を超える場合に、前記所定位置のトンネル内の照明灯の照度異常を示す別の照度異常信号を送信する子局制御装置と、
トンネルの外部に設置され、前記子局制御装置からの前記別の照度異常信号の受信に応じて、保守点検員による前記所定位置の前記照明灯の点検を促す出力を行う親局制御装置とを備え、
前記劣化判定装置の前記照度異常検出回路が、照度に関する段階的な複数の設定値を記憶し、前記照度センサーで測定される測定値と前記設定値とを対比し、前記測定値が所定の設定値以下になった場合に、前記所定設定値に応じた前記照明灯の照度異常を検出し、
前記劣化判定装置の前記信号送信部が、前記所定設定値に対応する程度情報を含む前記照度異常信号を前記子局制御装置に送信することを特徴とするトンネル照明灯の保守管理システム。
【請求項２】
前記劣化判定装置の前記照度センサーを透光性の照度センサーとすることを特徴とする請求項１記載のトンネル照明灯の保守管理システム。
【請求項３】
前記劣化判定装置の前記照度センサーを透光性の太陽電池パネルとすると共に、前記太陽電池パネルの発生電力により前記照度異常検出回路を制御することを特徴とする請求項１記載のトンネル照明灯の保守管理システム。
【請求項４】
前記劣化判定装置の前記告知出段として、前記照明灯の近傍に設けられる表示部若しくはスピーカーと、前記表示部若しくは前記スピーカーの出力を制御する出力制御部とを備えることを特徴とする請求項１〜３の何れかに記載のトンネル照明灯の保守管理システム。
【発明の詳細な説明】
【技術分野】
【０００１】
本発明は、例えば高速道路のトンネル内に設置されるＬＥＤ照明灯等の劣化を判定する照明灯の劣化判定装置を備えるトンネル照明灯の保守管理システムに関する。
【背景技術】
【０００２】
ＬＥＤ照明灯の劣化を判定する装置として、特許文献１の劣化判定装置が知られている。特許文献１の劣化判定装置は、ＬＥＤ照明灯に通電を開始した初回の照度を照度センサーで測定し、その測定照度を基準値として記憶部に記憶し、初回以降に照度センサーで測定される測定照度が基準値に対して予め設定した設定値以下に低下した際に、点灯スイッチのＯＮ時にＬＥＤ照明灯の点灯状態を変化させて寿命であることを告知する構成である。更に、この劣化判定装置では、必要に応じて、基準値より低い第１設定値と更に低い第２設定値を設定し、測定照度が第２設定値よりも高く第１設定値以下の範囲の場合と、第２設定値以下の範囲の場合とでＬＥＤ照明灯の点灯状態を異ならせ、当面継続使用が可能な場合と、直ちにＬＥＤ照明灯の交換が必要な場合とを区別することを可能にしている。
【先行技術文献】
【特許文献】
【０００３】
【特許文献１】特開２０１０−１１３９８６号公報
【発明の概要】
【発明が解決しようとする課題】
【０００４】
ところで、照明灯の照度の劣化を判定する際には、外部からの光が入りにくい位置で安定的に照度を測定するために、照度センサーの設置位置が重要となる。即ち、外部からの光が入りにくい位置で安定的に照度を測定し、照明灯の照度劣化を正確に判定することができる装置が求められている。
【０００５】
本発明は上記課題に鑑み提案するものであって、外部からの光が入りにくい位置で安定的に照明灯の照度を測定し、照明灯の照度劣化を正確に判定することができる照明灯の劣化判定装置を備えるトンネル照明灯の保守管理システムを提供することを目的とする。
【課題を解決するための手段】
【０００６】
本発明のトンネル照明灯の保守管理システムは、照明灯と、前記照明灯が出力する光を反射する反射板と、前記反射板に取り付けられる照度センサーと、前記照度センサーで測定される測定値と設定記憶されている設定値とを対比し、前記測定値が前記設定値以下になった場合に前記照明灯の照度異常を検出する照度異常検出回路と、前記照度異常の検出に応じて前記照明灯の照度異常を告知する告知手段と、前記告知手段として前記照明灯の照度異常信号を外部に送信する信号送信部とを有し、トンネル内に設置される照明灯の劣化判定装置と、トンネルの外部に設置され、所定位置のトンネル内の照明灯の照度異常信号の受信に応じて、前記照度異常信号の照度異常の程度を前記照度異常信号に含まれる程度情報と設定記憶されている設定程度情報とを対比して判定し、前記照度異常の程度が設定程度情報を超える場合に、前記所定位置のトンネル内の照明灯の照度異常を示す別の照度異常信号を送信する子局制御装置と、トンネルの外部に設置され、前記子局制御装置からの前記別の照度異常信号の受信に応じて、保守点検員による前記所定位置の前記照明灯の点検を促す出力を行う親局制御装置とを備え、前記劣化判定装置の前記照度異常検出回路が、照度に関する段階的な複数の設定値を記憶し、前記照度センサーで測定される測定値と前記設定値とを対比し、前記測定値が所定の設定値以下になった場合に、前記所定設定値に応じた前記照明灯の照度異常を検出し、前記劣化判定装置の前記信号送信部が、前記所定設定値に対応する程度情報を含む前記照度異常信号を前記子局制御装置に送信することを特徴とする。
この構成によれば、外部からの光が入りにくい位置で安定的に照明灯の照度を測定し、照明灯の照度劣化を正確に判定することができ、照度の劣化した照明灯を確実に告知することができる。また、例えばトンネルの外部など、遠隔地で所定位置の照明灯の照度異常を認識することができ、必要に応じて保守点検員が照明灯の交換等の作業を行うことができる。また、照明灯の交換が必要な場合など重要性の高い照度異常のみを子局から親局に伝え、トンネル内の照明灯の照度を安全基準に適合させつつ、効率的に照明灯の保守管理を行うことができる。
【０００７】
本発明のトンネル照明灯の保守管理システムは、前記劣化判定装置の前記照度センサーを透光性の照度センサーとすることを特徴とする。
この構成によれば、照度センサーを光が透過することにより、照明灯でより高い照度を得ることができる。
【０００８】
本発明のトンネル照明灯の保守管理システムは、前記劣化判定装置の前記照度センサーを透光性の太陽電池パネルとすると共に、前記太陽電池パネルの発生電力により前記照度異常検出回路を制御することを特徴とする。
この構成によれば、照度センサーを光が透過することにより、照明灯でより高い照度を得ることができると共に、照明灯の光を有効活用して省エネルギーで劣化判定処理を行うことができる。
【０００９】
本発明のトンネル照明灯の保守管理システムは、前記劣化判定装置の前記告知出段として、前記照明灯の近傍に設けられる表示部若しくはスピーカーと、前記表示部若しくは前記スピーカーの出力を制御する出力制御部とを備えることを特徴とする。
この構成によれば、保守点検員が視覚若しくは聴覚により、容易に照度の劣化した照明灯を認識し、交換することができる。
【発明の効果】
【００１０】
本発明によれば、外部からの光が入りにくい位置で安定的に照明灯の照度を測定し、照明灯の照度劣化を正確に判定することができ、照度の劣化した照明灯を確実に告知することができる。また、例えばトンネルの外部など、遠隔地で所定位置の照明灯の照度異常を認識することができ、必要に応じて照明灯の交換等の作業を行うことができる。また、照明灯の交換が必要な場合など重要性の高い照度異常のみを子局から親局に伝え、トンネル内の照明灯の照度を安全基準に適合させつつ、効率的に照明灯の保守管理を行うことができる。
【図面の簡単な説明】
【００１１】
【図１】（ａ）は本発明による第１実施形態の照明灯の劣化判定装置を備える照明器具の正面図、（ｂ）はその縦断面図、（ｃ）は同図（ａ）のＡ部の部分拡大図。
【図２】第１実施形態の照明灯の劣化判定装置の構成を説明する構成説明図。
【図３】第１実施形態のトンネル照明灯の保守管理システムの構成を説明する構成説明図。
【図４】図３の保守管理システムの第１処理例を示すフローチャート。
【図５】図３の保守管理システムの第２処理例を示すフローチャート。
【図６】（ａ）は本発明による第２実施形態の照明灯の劣化判定装置を備える照明器具の正面図、（ｂ）は同図（ａ）のＢ部の部分拡大図。
【図７】（ａ）は本発明による第３実施形態の照明灯の劣化判定装置を備える照明器具の正面図、（ｂ）はその縦断面図、（ｃ）は同図（ａ）のＣ部の部分拡大図。
【図８】第３実施形態の照明灯の劣化判定装置の構成を説明する構成説明図。
【発明を実施するための形態】
【００１２】
次に、本発明による実施形態の照明灯の劣化判定装置及びトンネル照明灯の保守管理システムについて説明する。
【００１３】
〔第１実施形態の照明灯の劣化判定装置〕
第１実施形態の照明灯の劣化判定装置は、図１に示す照明器具１００に設置される。照明器具１００は、略直方体形箱状の筐体１０と、筐体１０内に長手方向を揃えて設けられる照明灯２０と、筐体１０の前面側開口に設置される拡散カバー等の透光カバー３０と、筐体１０内で照明灯１０の背面側に設置され、照明灯２０が出力する光を反射する反射板４０と、反射板１０の内面側に設置される照度センサー５０と、照度センサー５０と電気的に接続され、筐体１０内に設けられる照度異常検出部６０と、照度異常検出部６０と電気的に接続され、筐体１０に外部から視認可能に設けられる異常表示部７０とを備える。
【００１４】
照明灯２０は、図示省略するソケットに取り付けられ、外部から供給される電力により点灯するようになっている。照明灯２０は、例えば蛍光灯型のＬＥＤ照明灯とすると好適であるが、蛍光灯、水銀灯、ナトリウムランプなど適宜の照明灯とすることが可能である。
【００１５】
反射板４０は、側面視略弧状で棒状に伸びる凹曲面に形成されており、照明灯２０に長手方向が揃うように設けられると共に、反射板４０の頂点の前方近傍に照明灯２０が位置するように配置される。反射板２０の凹曲面の内面側で、照明灯２０の近傍位置には、照度センサー５０が接着或いはネジ止め等により取り付けられる。
【００１６】
照度センサー５０には、受光した光を電気信号に置き換えて出力可能な適宜の照度センサーを使用することが可能であるが、本実施形態においては、透明樹脂フィルム等の透明体５１の内部にシリコン等の球状太陽電池５２が分散配置されている太陽電池パネルを照度センサー５０として用いている。尚、照度センサー５０は、透光性の太陽電池パネルなど透光性の照度センサーとすると、照度センサーが光を透過してより高い照度を得ることができるので良好である。
【００１７】
照度異常検出部６０は、図２に示すように、照度異常検出回路６１と、信号送信部６２と、出力制御部６３とを有する。照度異常検出回路６１は、照度センサー５０で測定される照度の測定値として入力される測定電圧と、照度異常検出回路６１内の記憶部に設定記憶されている設定値である設定電圧とを対比し、前記測定電圧が前記設定電圧以下となった場合に照明灯２０の照度異常として検出する。告知手段として設けられる信号送信部６２は、照明灯２０の照度異常の検出に応じて、照明灯２０の照度異常信号を後述する子局制御装置３１０など外部に送信する。告知手段を構成する出力制御部６３は、照明灯２０の照度異常の検出に応じて、異常表示部７０の出力を制御する。
【００１８】
異常表示部７０は、告知手段として照明灯２０の近傍に設けられる表示部により構成され、本実施形態の異常表示部７０はＬＥＤ灯である。このＬＥＤ灯の異常表示部７０は、照明灯２０の照度異常が検出された場合には、出力制御部６３の制御により所定パターンで点滅或いは点灯等して異常を表示するようになっている。
【００１９】
尚、告知手段として、照明灯２０の近傍にスピーカーを設け、照度異常検出部６０に設けられる出力制御部により、照明灯２０の照度異常の検出に応じて、所定パターンの音を出力して異常を示すようにしてもよい。また、本発明における、照度異常の検出に応じて照明灯２０の照度異常を告知する告知手段は、前述の信号送信部６２、異常表示部７０等の表示部の出力を制御する出力制御部６３、或いはスピーカーの出力を制御する出力制御部の各々、又はこれらの適宜の組み合わせで構成することが可能である。
【００２０】
告知手段として、表示部若しくはスピーカーを設ける場合には、保守点検員が視覚若しくは聴覚により、容易に照度の劣化した照明灯を認識し、交換することができる。また、告知手段として信号送信部６２を設ける場合には、例えば後述するトンネル２００の外部など、遠隔地で所定位置の照明灯２０の照度異常を認識することができ、必要に応じて照明灯２０の交換等の作業を行うことができる。
【００２１】
そして、本実施形態の照明灯の劣化判定装置は、少なくとも、照明灯２０と、反射板４０と、照度センサー５０と、照度異常検出回路６１と、この告知手段とから構成される。
【００２２】
第１実施形態の照明灯の劣化判定装置によれば、外部からの光が入りにくい位置で安定的に照明灯２０の照度を測定し、照明灯２０の照度劣化を正確に判定することができ、照度の劣化した照明灯２０を確実に告知することができる。また、照明灯２０をＬＥＤ照明灯とする場合には、消灯で寿命が判断しにくいＬＥＤ照明灯の寿命を正確に判定し、例えば安全性から所要照度が要求されるトンネル内など所要照度が要求される場所で、所要照度を発揮するＬＥＤ照明灯を確実に据え付けることが可能となる。
【００２３】
〔第１実施形態のトンネル照明灯の保守管理システム〕
次に、本実施形態の照明灯の劣化判定装置を備える照明器具１００をトンネル２００内に設置し、トンネル照明灯の保守管理システムを構成する場合について説明する。
【００２４】
このトンネル照明灯の保守管理システムは、図３に示すように、トンネル２００内に照明器具１００が電気的に接続して設置され、その接続線と専用回線Ｌ１を介してトンネル外部の子局３００の子局制御装置３１０に接続されている。本実施形態における子局３００は、トンネル２００における照明器具１００、換気、非常設備の制御等が行われる電気室である。また、子局制御装置３１０は、ＣＰＵ等の制御処理部と、記憶部と、ディスプレイ等の表示部と、ボタン等の入力部とを備える構成である。
【００２５】
更に、子局制御装置３１０は、専用回線Ｌ２を介してトンネル外部の親局４００の親局制御装置４１０に接続されている。本実施形態における親局４００は、トンネル２００の遠方に位置し、複数のトンネル２００の子局３００（電気室）から送られるデータを集中的に監視して制御すると共に、監視員が常駐する施設中央局である。また、親局制御装置４１０は、ＣＰＵ等の制御処理部と、記憶部と、ディスプレイ等の表示部と、ボタン等の入力部とを備える構成である。５００は保守点検員の常駐する管理事務所である。
【００２６】
上記トンネル照明灯の保守管理システムにおいて、トンネル２００内の所定位置の照明器具１００で照度異常が発生した場合、図４に示すように、この照明器具１００の劣化判定装置において、照度センサー５０から照度異常検出回路６１に測定電圧が入力され（Ｓ１０１）、その測定電圧と設定電圧とが照度異常検出回路６１で対比され、測定電圧が設定電圧以下となった場合に照度異常として検出される（Ｓ１０２、Ｓ１０３）。更に、その出力制御部６３が、異常表示部７０の出力を制御して異常表示部７０であるＬＥＤ灯を点滅等して現場で照度異常の照明灯２０を認識し易くすると共に、その信号送信部６２が、照度異常の照明器具１００の識別番号等の位置情報を有する照度異常信号ＥＳ１を生成して子局制御装置３１０に送信する（Ｓ１０４）。
【００２７】
子局制御装置３１０は、照明器具１００からの照度異常信号ＥＳ１の受信に応じて、受信した照度異常信号ＥＳ１に基づき、トンネル２００の特定情報及び照度異常の照明器具１００の位置情報を有する照度異常信号ＥＳ２を生成して親局制御装置４１０に送信する（Ｓ１０５）。親局制御装置４１０は、子局制御装置３１０からの照度異常信号ＥＳ２の受信に応じて、トンネル２００の特定情報及び照度異常の照明器具１００の位置情報で特定される照明器具１００の照明灯２０の点検を促す出力を表示部等で行う（Ｓ１０６）。その出力を認識した親局４００の監視員は、図示一点鎖線矢印の如く管理事務所５００の保守点検員に連絡を取り（Ｓ１０７）、図示太線矢印の如く保守点検員が子局３００、照度異常の照明器具１００に向かって点検、保守を行う（Ｓ１０８）。
【００２８】
本例のトンネル照明灯の保守管理システムでは、トンネル２００の外部で所定位置の照明灯２０の照度異常を認識し、保守点検員が照明灯２０の交換等の保守管理を行うことができる。
【００２９】
また、図３の構成におけるトンネル照明灯の保守管理システムの別例の処理として、照明器具１００の劣化判定装置を、照度異常検出回路６１の記憶部に照度に関する段階的な複数の設定値である設定電圧を記憶し、照度センサー５０で測定される測定電圧と設定電圧とを対比し、測定電圧が所定の設定電圧以下になった場合に、その所定の設定電圧に応じた照明灯の照度異常を検出し、信号送信部６２が、その所定設定電圧に対応する程度情報を含む照度異常信号ＥＳ１を子局制御装置３１０に送信する構成とし、更には、出力制御部６３が、測定電圧が最低の設定電圧以下になった場合にだけ異常表示部７０の表示制御を行う構成、或いは測定電圧が所定の設定電圧以下になった場合に、その所定の設定電圧に応じたパターンで異常表示部７０の表示制御を行う構成として処理してもよい。
【００３０】
例えば照明器具の劣化判定装置において、照度異常検出回路６１の記憶部に、照明灯２０の初期点灯時の照度の７０％（日本照明器具工業会制定によるＬＥＤ照明灯の全光束が初期全光束の７０％に低下した場合に寿命とする定義に対応）に対応する第１の設定電圧と、照明灯２０の初期点灯時の照度の８０％に対応する第２の設定電圧を記憶する。
【００３１】
そして、図５に示すように、照度センサー５０で測定される測定電圧が照度異常検出回路６１に入力され（Ｓ２０１）、照度異常検出回路６１において、測定電圧と第１の設定電圧とを対比し（Ｓ２０２）、測定電圧が第１の設定電圧以下であった場合には、第１の設定電圧に対応する照度異常を検出する（Ｓ２０３）。更に、出力制御部６３が、異常表示部７０の出力を制御して異常表示部７０であるＬＥＤ灯を点滅等して現場で照度異常の照明灯２０を認識し易くすると共に、信号送信部６２が、照度異常の照明器具１００の識別番号等の位置情報と、例えば異常の程度が高いランク２など第１の設定電圧に対応する照度異常の程度情報等を有する照度異常信号ＥＳ１を生成して子局制御装置３１０に送信する（Ｓ２０４）。
【００３２】
子局制御装置３１０は、照明器具１００からの照度異常信号ＥＳ１の受信に応じて、照度異常信号の照度異常の程度を照度異常信号に含まれる程度情報と、例えば異常の程度がランク２より低いランク１など設定記憶されている設定程度情報とを対比して判定し（Ｓ２０５）、照度異常の程度が設定程度情報を超える場合に、受信した照度異常信号に基づき、トンネル２００の特定情報及び照度異常の照明器具１００の位置情報を有する照度異常信号ＥＳ２を生成して親局制御装置４１０に送信する（Ｓ２０６）。
【００３３】
親局制御装置４１０は、子局制御装置３１０からの照度異常信号ＥＳ２の受信に応じて、トンネル２００の特定情報及び照度異常の照明器具１００の位置情報で特定される照明器具１００の照明灯２０の点検を促す出力を表示部等で行う（Ｓ２０７）。その出力を認識した親局４００の監視員は、図示一点鎖線矢印の如く管理事務所５００の保守点検員に連絡を取り（Ｓ２０８）、図示太線矢印の如く保守点検員が子局３００、照度異常の照明器具１００に向かって点検、保守を行う（Ｓ２０９）。
【００３４】
他方において、照明器具１００の劣化判定装置の照度異常検出回路６１における、測定電圧と第１の設定電圧との対比の結果（Ｓ２０２）、測定電圧が第１の設定電圧超であった場合には、更に、測定電圧と第１の設定電圧より高い第２の設定電圧と対比し（Ｓ２１０）、測定電圧が第２の設定電圧以下であった場合には、第２の設定電圧に対応する照度異常を検出する（Ｓ２１１）。更に、必要に応じて出力制御部６３が、異常表示部７０の出力を制御して異常表示部７０であるＬＥＤ灯を別のパターンで点滅等して現場で照度異常の照明灯２０を認識し易くすると共に、信号送信部６２が、照度異常の照明器具１００の位置情報と、例えば異常の程度が低いランク１など第２の設定電圧に対応する照度異常の程度情報等を有する照度異常信号ＥＳ１を生成して子局制御装置３１０に送信する（Ｓ２０４）。
【００３５】
子局制御装置３１０は、照明器具１００からの照度異常信号ＥＳ１の受信に応じて、照度異常信号ＥＳ１の照度異常の程度を照度異常信号ＥＳ１に含まれる程度情報と設定記憶されている設定程度情報とを対比して判定し（Ｓ２０５）、照度異常の程度が設定程度情報以下である場合に、その記憶部に、照度異常の照明器具１００の位置情報と、その照度異常の程度情報とを表示可能に記憶する（Ｓ２１２）。即ち、照度異常の程度が低い場合には、子局制御装置３１０から親局制御装置４１０への照度異常信号ＥＳ２の送信と、これに対応する親局４００からの指令に基づく保守点検員による点検、保守は行わない。
【００３６】
上記トンネル照明灯の保守管理システムの別例の処理では、照明灯２０の交換が必要な場合など重要性の高い照度異常のみを子局３００から親局４００に情報を伝え、トンネル２００内の照明灯２０の照度を安全基準に適合させつつ、効率的に照明灯２０の保守管理を行うことができる。
【００３７】
〔第２実施形態の照明灯の劣化判定装置及びトンネル照明灯の保守管理システム〕
第２実施形態の照明灯の劣化判定装置では、図６に示すように、照明器具１００の照明灯２０の長手方向に沿って照度センサー５０ａが設けられ、反射板４０に取り付けられている。照度センサー５０ａは、各細長板状で透光性の複数の太陽電池パネルをその長手方向に直列に配置して構成され、全体として照明灯２０に近い長さを有する。その他の構成は第１実施形態の劣化判定装置と同一であり、又、上記第１実施形態や変形した別例のトンネル照明灯の保守管理システム等に適用することが可能である。
【００３８】
第２実施形態の照明灯の劣化判定装置及びトンネル照明灯の保守管理システムは、第１実施形態と同様の効果を発揮することができると共に、照度センサー５０ａを照明灯２０の長さに略対応する長さとすることにより、照明灯２０の全体的な照度とより対応する照度を比較対象として照度異常を検出することが可能となり、照明灯２０の照度異常をより高い精度で検出することができる。
【００３９】
また、第２実施形態の照明灯の劣化判定装置の変形例として、図６の複数の太陽電池パネル或いは照度センサーの複数を直列に細長となるように配置する構成において、各太陽電池パネル或いは照度センサーのそれぞれの測定電圧をそれぞれに照度異常検出回路６１に入力し、各照度異常検出回路６１での測定電圧と設定電圧との対比、照度異常の検出を行ってもよい。
【００４０】
この場合には、直列配置されている各太陽電池パネル或いは各照度センサーのいずれか１つに異常が検出された場合に、信号送信部６２、出力制御部６３など各告知手段の動作を制御する構成とするとすることが好ましい。
【００４１】
この変形例では、例えば複数のＬＥＤが長手方向に沿って並べて設けられる蛍光灯型のＬＥＤ照明灯において、その一部の照度が低下している場合にも、照度異常を検出してメンテナンスを図ることが可能となる。
【００４２】
〔第３実施形態の照明灯の劣化判定装置及びトンネル照明灯の保守管理システム〕
第３実施形態の照明灯の劣化判定装置では、図７に示すように、照明器具１００の照明灯２０の長手方向に沿って照度センサー５０ｂが設けられ、反射板４０に取り付けられている。照度センサー５０ｂは、各板状で透光性の複数の太陽電池パネルを直列に配置して構成され、全体として照明灯２０に近い長さを有する。各太陽電池パネルは、可撓性の樹脂フィルム或いは曲面状の透明体５１の中に球状太陽電池５２が分散配置して構成され、反射板２０の凹曲面に倣うようにして透明体５１が設けられている。図示例では、反射板２０の凹曲面の上半分程度を占めるようにして各太陽電池パネルが配設されている。
【００４３】
更に、第３実施形態では、図８に示すように、照度センサー５０ｂで生じた電圧が照度異常検出部６０ｂの照度異常検出回路６１に入力されると共に、照度センサー５０ｂで生じた電圧が照度異常検出部６０ｂの電圧安定回路６４に入力され、電圧安定回路６４から照度異常検出回路６１に駆動電力が供給される。即ち、太陽電池パネルである照度センサー５０ｂの発生電力により、照度異常検出回路６１の制御が行われ、照度異常検出回路６１を駆動するための外部電力の供給が不要になっている。その他の構成は第１実施形態の劣化判定装置と同一であり、又、上記第１実施形態や変形した別例のトンネル照明灯の保守管理システム等に適用することが可能である。
【００４４】
第３実施形態の照明灯の劣化判定装置及びトンネル照明灯の保守管理システムは、第１、第２実施形態と同様の効果を発揮することができると共に、太陽電池パネルで照明灯２０の光を有効活用して省エネルギーで劣化判定処理を行うことができる。
【００４５】
〔実施形態の変形例等〕
本明細書開示の発明は、各発明、各実施形態、各例の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。そして、下記変形例等も包含する。
【００４６】
例えば上記劣化判定装置では、第１の設定電圧と、より高い照度に対応するこれより高い第２の設定電圧を対比する場合に、第１の設定電圧、第２の設定電圧の順に低い設定電圧から測定電圧と対比する例で説明したが、第２の設定電圧、第１の設定電圧の順に高い設定電圧から測定電圧と対比する処理としてもよい。
【産業上の利用可能性】
【００４７】
本発明は、例えばトンネル照明灯の劣化を判定して保守管理する場合等に利用することができる。
【符号の説明】
【００４８】
１００、１００ａ、１００ｂ…照明器具 １０…筐体 ２０…照明灯 ３０…透光カバー ４０…反射板 ５０、５０ａ、５０ｂ…照度センサー ５１…透光体 ５２…球状太陽電池 ６０、６０ｂ…照度異常検出部 ６１…照度異常検出回路 ６２…信号送信部 ６３…出力制御部 ７０…異常表示部 ２００…トンネル ３００…子局 ３１０…子局制御装置 ４００…親局 ４１０…親局制御装置 ５００…管理事務所 Ｌ１、Ｌ２…専用回線 ＥＳ１、ＥＳ２…照度異常信号
【図１】
0005647866.tif 000002
【図２】
0005647866.tif 000003
【図３】
0005647866.tif 000004
【図４】
0005647866.tif 000005
【図５】
0005647866.tif 000006
【図６】
0005647866.tif 000007
【図７】
0005647866.tif 000008
【図８】
0005647866.tif 000009